(57)【要約】【課題】適切にＥＱ機器の管理と保全とを行うことができる管理装置、管理方法及び管理プログラムを提供すること。【解決手段】本発明の管理装置１は、原子力発電所の施設に設置されているＥＱ機器の管理情報を記憶する機器リストデータベース４３と、機器リストデータベース４３に記憶された管理情報を出力する出力部であるディスプレイ２とプリンタ３と、機器リストデータベース４３から管理情報を取得して、ディスプレイ２とプリンタ３とに対して出力させる制御部５とを備え、機器は、機器が設置されている環境の温度及び放射線量に対する耐環境性能を有し、前記管理情報は、前記耐環境性能を含む。【選択図】図１
2019007852.tif 000002
【特許請求の範囲】
【請求項１】
原子力発電所の施設に設置されているＥＱ機器の管理情報を記憶するデータベースと、
前記データベースに記憶された前記管理情報を出力する出力部と、
前記データベースから前記管理情報を取得して、前記出力部に対して出力させる制御部と、
を備え、
前記機器は、前記機器が設置されている環境の温度及び放射線量に対する耐環境性能を有し、
前記管理情報は、前記耐環境性能を含む
ことを特徴とする管理装置。
【請求項２】
前記管理情報は、前記機器が設置されている環境の温度及び放射線量を含む環境情報と、前記環境情報に基づいて算出された、前記機器が設置されている環境における前記機器の寿命とを含む、ことを特徴とする請求項１に記載の管理装置。
【請求項３】
前記制御部は、前記データベースから前記寿命を含む前記管理情報を取得して、前記機器と前記機器に接続されている他の機器との接続状態と寿命とを示す概念図を前記出力部に対して出力させる、ことを特徴とする請求項２に記載の管理装置。
【請求項４】
前記出力部が出力した前記管理情報に対する選択操作を検出する入力検出部を備え、
前記管理情報は、前記機器が設置されている前記施設における場所情報を含み、
前記制御部は、前記出力部に対して前記場所情報を含む前記施設の配置図を出力させ、前記入力検出部で前記配置図における前記場所情報に対する選択操作を検出すると、前記データベースから前記場所情報に関連する前記機器の前記管理情報を取得して、前記出力部に対して出力させる、ことを特徴とする請求項１または請求項２に記載の管理装置。
【請求項５】
前記管理情報は、前記データベースの更新者と更新日付とを含む、ことを特徴とする請求項１から４のいずれか一項に記載の管理装置。
【請求項６】
原子力発電所の施設に設置されているＥＱ機器の管理情報をデータベースに記憶するデータベース生成ステップと、
前記データベースから前記管理情報を取得して、前記管理情報を出力する出力部に対して出力させる出力ステップと、
を含み、
前記機器は、前記機器が設置されている環境の温度及び放射線量に対する耐環境性能を有し、
前記管理情報は、前記耐環境性能を含む
ことを特徴とする管理方法。
【請求項７】
原子力発電所の施設に設置されているＥＱ機器の管理情報をデータベースに記憶するデータベース生成ステップと、
前記データベースから前記管理情報を取得して、前記管理情報を出力する出力部に対して出力させる出力ステップと、
をコンピューターに実行させ、
前記機器は、前記機器が設置されている環境の温度及び放射線量に対する耐環境性能を有し、
前記管理情報は、前記耐環境性能を含む
ことを特徴とする管理プログラム。
【発明の詳細な説明】
【技術分野】
【０００１】
本発明は、管理装置、管理方法及び管理プログラムに関する。
【背景技術】
【０００２】
発電所や上下水道施設に設置されている機器は、管理と保全とを適切に行うことが望まれている。上下水道、電力などを初めとする公益産業における設備を管理する設備管理システムが知られている（例えば、特許文献１参照）。特許文献１に記載の技術では、利用者との対話的なインタフェースによるデータベース構築手段を設け、利用者がインタフェース画面上で入力する設備や施設の階層区分数と各区分の名称及び各区分に対する設備や施設を階層的に定義した構造のデータをデータベースに蓄積する。
【先行技術文献】
【特許文献】
【０００３】
【特許文献１】特開平１１−８５２６１号公報
【発明の概要】
【発明が解決しようとする課題】
【０００４】
原子力発電所の施設に設置され、耐環境性能が要求される安全系の電気・計装品（以下、「ＥＱ（Ｅｎｖｉｒｏｎｍｅｎｔａｌ  Ｑｕａｌｉｆｉｃａｔｉｏｎ）機器」という。）は、火力発電所を含む他の発電所や上下水道施設に設置されている機器と異なり、設置場所の温度と放射線量とが示す環境に耐え得る耐環境性能の検証が要求され、検証寿命の範囲内で使用されることが求められる。そこで、原子力発電所の耐環境性能が要求される機器は、検証寿命の範囲内で使用されていることを管理することが要求される。また、耐環境性能に関連する環境情報を含んで管理することが望まれる。
【０００５】
本発明は、このような実情に鑑みてなされたものであり、適切に機器の管理と保全とを行うことができる管理装置、管理方法及び管理プログラムを提供することを目的とする。
【課題を解決するための手段】
【０００６】
本発明の管理装置は、原子力発電所の施設に設置されているＥＱ機器の管理情報を記憶するデータベースと、前記データベースに記憶された前記管理情報を出力する出力部と、前記データベースから前記管理情報を取得して、前記出力部に対して出力させる制御部と、を備え、前記機器は、前記機器が設置されている環境の温度及び放射線量に対する耐環境性能を有し、前記管理情報は、前記耐環境性能を含むことを特徴とする。
【０００７】
この構成によれば、適切に機器の管理と保全とを行うことができる。
【０００８】
本発明の管理装置において、前記管理情報は、前記機器が設置されている環境の温度及び放射線量を含む環境情報と、前記環境情報に基づいて算出された、前記機器が設置されている環境における前記機器の寿命とを含む、ことが好ましい。この構成によれば、適切に機器の環境情報と寿命とを含む管理情報の管理と保全とを行うことができる。
【０００９】
本発明の管理装置において、前記制御部は、前記データベースから前記寿命を含む前記管理情報を取得して、前記機器と前記機器に接続されている他の機器との接続状態と寿命とを示す概念図を前記出力部に対して出力させる、ことが好ましい。この構成によれば、機器と他の機器との接続状態と寿命とを把握しやすい概念図を出力することができる。
【００１０】
本発明の管理装置は、前記出力部が出力した前記管理情報に対する選択操作を検出する入力検出部を備え、前記管理情報は、前記機器が設置されている前記施設における場所情報を含み、前記制御部は、前記出力部に対して前記場所情報を含む前記施設の配置図を出力させ、前記入力検出部で前記配置図における前記場所情報に対する選択操作を検出すると、前記データベースから前記場所情報に関連する前記機器の前記管理情報を取得して、前記出力部に対して出力させる、ことが好ましい。この構成によれば、配置図を介して、機器を容易に検索することができる。
【００１１】
本発明の管理装置において、前記管理情報は、前記データベースの更新者と更新日付とを含む、ことが好ましい。この構成によれば、データベースで記憶している機器の管理情報の妥当性を容易かつ正確に説明することができる。
【００１２】
本発明の管理方法は、原子力発電所の施設に設置されているＥＱ機器の管理情報をデータベースに記憶するデータベース生成ステップと、前記データベースから前記管理情報を取得して、前記管理情報を出力する出力部に対して出力させる出力ステップと、を含み、前記機器は、前記機器が設置されている環境の温度及び放射線量に対する耐環境性能を有し、前記管理情報は、前記耐環境性能を含むことを特徴とする。
【００１３】
この方法によれば、適切に機器の管理と保全とを行うことができる。
【００１４】
本発明の管理プログラムは、原子力発電所の施設に設置されているＥＱ機器の管理情報をデータベースに記憶するデータベース生成ステップと、前記データベースから前記管理情報を取得して、前記管理情報を出力する出力部に対して出力させる出力ステップと、をコンピューターに実行させ、前記機器は、前記機器が設置されている環境の温度及び放射線量に対する耐環境性能を有し、前記管理情報は、前記耐環境性能を含むことを特徴とする。
【００１５】
このプログラムによれば、適切に機器の管理と保全とを行うことができる。
【発明の効果】
【００１６】
本発明によれば、適切に機器の管理と保全とを行うことができる管理装置、管理方法及び管理プログラムを実現できる。
【図面の簡単な説明】
【００１７】
【図１】図１は、本実施形態に係る管理装置の一例を示すブロック図である。
【図２】図２は、マスタリストデータベースの一例を示すデータ構成図である。
【図３】図３は、環境測定結果データベースの一例を示すデータ構成図である。
【図４】図４は、機器リストデータベースの一例を示すデータ構成図である。
【図５】図５は、電動装置データベースの一例を示すデータ構成図である。
【図６】図６は、マスタリストを一覧表示する画面の一例を示す説明図である。
【図７】図７は、環境測定結果を一覧表示する画面の一例を示す説明図である。
【図８】図８は、機器リストを一覧表示する画面の一例を示す説明図である。
【図９】図９は、設備データ概念図を表示する画面の一例を示す説明図である。
【図１０】図１０は、配置図を表示する画面の一例を示す説明図である。
【図１１】図１１は、本実施形態に係る管理装置における管理方法の概略を示すフロー図である。
【図１２】図１２は、本実施形態に係る管理装置における管理方法の概略を示すフロー図である。
【図１３】図１３は、本実施形態に係る管理装置における管理方法の概略を示すフロー図である。
【図１４】図１４は、本実施形態に係る管理装置における管理方法の概略を示すフロー図である。
【発明を実施するための形態】
【００１８】
以下、本実施形態について、添付図面を参照して詳細に説明する。なお、本発明は、以下の各実施形態に限定されるものではなく、適宜変更して実施可能である。
【００１９】
図１は、本実施形態に係る管理装置の一例を示すブロック図である。管理装置１は、原子力発電所の施設に設置され、耐環境性能が要求される安全系の電気・計装品であるＥＱ機器を管理する。機器は、原子力発電所において事故時環境が悪化するエリアに設置されている。事故時環境が悪化するエリアは、例えば、原子力発電所の施設のうち、格納容器内と主蒸気室である。機器は、例えば、電動弁駆動部、ケーブル、接続箱、電気ペネトレーション、計器を含む。機器は、設置されている環境の温度及び放射線量に対する耐環境性能を有する。本実施形態では、機器は、設置されている環境の温度と放射線量とに対する耐環境性能を有する。管理装置１は、ディスプレイ（出力部）２と、プリンタ（出力部）３と、記憶部４と、制御部５とを有する。
【００２０】
ディスプレイ２は、制御部５の制御信号に基づいて管理情報を表示する。ディスプレイ２は、例えば、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）などである。本実施形態では、ディスプレイ２は、タッチパネルである。ディスプレイ２は、例えば、指やペンなどによってディスプレイ２に対して行われる各種動作を検出する入力検出部２１を有する。入力検出部２１は、検出した入力情報を制御部５に伝送する。
【００２１】
プリンタ３は、制御部５の制御信号に基づいて管理情報を印刷する。プリンタ３は、例えば、インクジェットプリンタ、レーザプリンタなどである。
【００２２】
記憶部４は、制御部５における情報処理を実行するために用いられる各種プログラム及び各種データベースを記憶する。本実施形態では、記憶部４は、マスタリストデータベース４１と、環境測定結果データベース４２と、機器リストデータベース４３とを記憶する。
【００２３】
図２を参照して、マスタリストデータベース４１について説明する。図２は、マスタリストデータベースの一例を示すデータ構成図である。マスタリストデータベース４１は、系統に関する情報を記憶する。マスタリストデータベース４１は、系統４１１１と機器名称４１１２と設置場所４１１３と動作要求の有無４１１４と要求機能４１１５と必要な電気・計装品４１１６と耐環境性能検証要否４１１７と安全重要度４１１８と機能４１１９と関連エビデンス有無４１２０と備考４１２１と登録日４１２２と登録者４１２３とを含む。
【００２４】
系統４１１１は、系統の種類を記憶する。本実施形態では、系統４１１１は、「一次冷却系統」、「化学体積系統」、「計装関連」である。機器名称４１１２は、当該系統に設置される機器の名称を記憶する。本実施形態では、機器の名称は、機器の設備番号を含む。設置場所４１１３は、当該機器の設置場所を記憶する。本実施形態では、設置場所は、当該機器が設置されている建屋である。動作要求の有無４１１４は、当該機器の動作要求の有無を記憶する。要求機能４１１５は、当該機器に要求する機能を記憶する。必要な電気・計装品４１１６は、当該機能の実装に必要な機器を記憶する。本実施形態では、機器は、「電動弁駆動部」、「ケーブル」、「接続箱」、「電気ペネトレーション」、「計器」などの機器を含む。耐環境性能検証要否４１１７は、当該機器の耐環境性能検証の要否を記憶する。安全重要度４１１８は、当該機能の安全の重要度を記憶する。機能４１１９は、当該機器の機能を記憶する。関連エビデンス有無４１２０は、例えば、系統図、試験結果などを含む当該機能のエビデンスの有無を記憶する。関連エビデンス有無４１２０が「有」の場合、例えば、関連エビデンスのデータをファイルで保存する。備考４１２１は、当該機能に関する特記事項を記憶する。登録日４１２２は、当該管理情報の登録日を記憶する。登録者４１２３は、当該管理情報の登録者を記憶する。
【００２５】
図３を参照して、環境測定結果データベース４２について説明する。図３は、環境測定結果データベースの一例を示すデータ構成図である。環境測定結果データベース４２は、原子力発電所の施設における環境測定結果を記憶する。環境測定結果データベース４２は、番号４２１１と測定場所４２１２と最高温度（℃）４２１３と最低温度（℃）４２１４と平均温度（℃）４２１５と温度シール温度（℃）４２１６と線量率（ｍＧｙ／ｈ）４２１７と関連エビデンス有無４２１８と登録日４２１９と登録者４２２０とを含む。
【００２６】
番号４２１１は、測定場所を特定する番号を記憶する。測定場所４２１２は、環境測定を行う場所の場所情報を記憶する。最高温度４２１３は、当該測定場所における最高温度を記憶する。最低温度４２１４は、当該測定場所における最低温度を記憶する。平均温度４２１５は、当該測定場所における平均温度を記憶する。温度シール温度４２１６は、当該測定場所に貼り付けられた温度シールが示す温度を記憶する。線量率４２１７は、当該測定場所における線量率を記憶する。関連エビデンス有無４２１８は、例えば、系統図、試験結果などを含む当該管理情報のエビデンスの有無を記憶する。関連エビデンス有無４２１８が「有」の場合、例えば、関連エビデンスのデータをファイルで保存する。登録日４２１９は、当該管理情報の登録日を記憶する。登録者４２２０、当該管理情報の登録者を記憶する。
【００２７】
図４を参照して、機器リストデータベース４３について説明する。図４は、機器リストデータベースの一例を示すデータ構成図である。機器リストデータベース４３は、機器の管理情報を記憶する。管理情報には、設備番号４３１１と名称４３１２と設備を構成する各機器４３１３〜４３１９と機器リストデータベース４３の更新者と更新日付を含む。
【００２８】
設備を構成する各機器は、電動装置４３１３と動力ケーブル４３１４と動力ケーブル接続部／現場接続箱接続部４３１５と制御用ケーブル４３１６と制御用ケーブル接続部／現場接続箱接続部４３１７と電気ペネ端子箱接続部４３１８と電気ペネ４３１９とを含む。
【００２９】
設備番号４３１１は、機器を識別する番号を記憶する。名称４３１２は、当該機器の名称を記憶する。電動装置４３１３は、当該機器を構成する電動装置データベース４４１へのポインタを記憶する。動力ケーブル４３１４は、当該機器を構成する動力ケーブルデータベースへのポインタを記憶する。動力ケーブル接続部／現場接続箱接続部４３１５は、当該機器を構成する動力ケーブル接続部／現場接続箱接続部データベースへのポインタを記憶する。制御用ケーブル４３１６は、当該機器を構成する制御用ケーブルデータベースへのポインタを記憶する。制御用ケーブル接続部／現場接続箱接続部４３１７は、当該機器を構成する制御用ケーブル接続部／現場接続箱接続部データベースへのポインタを記憶する。電気ペネ端子箱接続部４３１８は、当該機器を構成する電気ペネ端子箱接続部データベースへのポインタを記憶する。電気ペネ４３１９は、当該機器を構成する電気ペネデータベースへのポインタを記憶する。備考４３２０は、当該機器に関する特記事項を記憶する。最終更新日４３２１は、当該管理情報の最終更新日付を記憶する。最終更新者４３２２は、当該管理情報の最終更新者を記憶する。
【００３０】
設備を構成する各機器として電動装置データベース４４１を図５として一例に示す。電動装置データベース４４１は、電動装置の管理情報を記憶する。電動装置データベース４４１は、型番４４１１とメーカ４４１２と設置場所４４１３と設置環境温度（℃）４４１４と設置環境線量（Ｇｙ／ｈ）４４１５と設置年４４１６と想定環境（温度・線量）４４１７と評価寿命４４１８と判定４４１９と活性化エネルギー（ｋｃａｌ／ｍｏｌ・Ｋ）４４２０と適合４４２１とを含む。
【００３１】
型番４４１１は、電動装置の型番を記憶する。メーカ４４１２は、当該電動装置のメーカを記憶する。設置場所４４１３は、当該電動装置の設置場所を記憶する。本実施形態では、設置場所は、建屋と階層とを含む。設置環境温度４４１４は、設置環境の温度を記憶する。設置環境温度４４１４は、環境測定後更新する。設置環境線量４４１５は、設置環境の線量を記憶する。設置環境線量４４１５は、環境測定後更新する。設置年４４１６は、当該電動装置の設置年を記憶する。言い換えると、設置年４４１６は、当該電動装置の交換実績である。想定環境（温度・線量）４４１７は、設置環境の想定される温度と線量とを記憶する。評価寿命４４１８は、設置環境に基づいて算出した寿命を記憶する。評価寿命４４１８は、環境測定後及び機器更新後更新する。判定４４１９は、当該寿命に対する判定を記憶する。判定４４１９は、環境測定後及び機器更新後更新する。本実施形態では、判定４４１９は、寿命が例えば５年以上である場合「○」と記憶する。本実施形態では、判定４４１９は、寿命が例えば３年以上５年未満である場合「△」と記憶する。本実施形態では、判定４４１９は、寿命が例えば１年未満である場合「×」と記憶する。活性化エネルギー４４２０は、当該電動装置で使用している材料に対する活性化エネルギーを記憶している。適合４４２１は、当該電動装置の寿命と要求とに適合しているかを記憶する。本実施形態では、適合４４２１は、適合している場合「○」を、適合していない場合「×」を記憶する。
【００３２】
図１に戻って、制御部５は、メモリ及びＣＰＵにより構成される。制御部５は、専用のハードウェアにより実現されるものであっても、制御部５の機能を実現するためのプログラムをメモリにロードして実行することによりその機能を実現させるものであってもよい。制御部５は、マスタリストデータベース４１と環境測定結果データベース４２と機器リストデータベース４３とを管理する。制御部５は、ディスプレイ２に各画面を表示し、各画面間の遷移を制御する。
【００３３】
制御部５は、マスタリスト用登録部５１と、マスタリスト用出力部５２と、環境測定用登録部５３と、環境測定用出力部５４と、機器リスト用登録部５５と、機器リスト用出力部５６と、概念図出力部５７と、配置図出力部５８とを有する。
【００３４】
マスタリスト用登録部５１は、マスタリストデータベース４１の管理情報を編集する。編集とは、管理情報の新規登録、編集、削除を含む。本実施形態では、マスタリスト用登録部５１は、ディスプレイ２に表示した、図示しない情報登録画面を介して入力された入力情報に基づいてマスタリストデータベース４１の管理情報を編集する。情報登録画面は、マスタリストデータベース４１の各管理情報を入力可能である。
【００３５】
マスタリスト用出力部５２は、マスタリストデータベース４１から管理情報を取得してマスタリストの帳票を生成し、ディスプレイ２に表示する。マスタリスト用出力部５２は、図示しない帳票設定画面を介して帳票に含むデータ項目を設定することが可能である。作成する帳票の形式は、あらかじめ記憶部４に記憶されている。ディスプレイ２に表示した帳票は、プリンタ３で印刷可能である。
【００３６】
環境測定用登録部５３は、環境測定結果データベース４２の管理情報を編集する。本実施形態では、環境測定用登録部５３は、ディスプレイ２に表示した、図示しない情報登録画面を介して入力された入力情報に基づいて環境測定結果データベース４２の管理情報を編集する。情報登録画面は、環境測定結果データベース４２の各管理情報を入力可能である。
【００３７】
環境測定用出力部５４は、環境測定結果データベース４２から管理情報を取得して環境測定結果の帳票を生成し、ディスプレイ２に表示する。環境測定用出力部５４は、図示しない帳票設定画面を介して帳票に含むデータ項目を設定することが可能である。作成する帳票の形式は、あらかじめ記憶部４に記憶されている。ディスプレイ２に表示した帳票は、プリンタ３で印刷可能である。
【００３８】
機器リスト用登録部５５は、機器リストデータベース４３の管理情報を編集する。本実施形態では、機器リスト用登録部５５は、ディスプレイ２に表示した、図示しない情報登録画面を介して入力された入力情報に基づいて機器リストデータベース４３の管理情報を編集する。情報登録画面は、機器リストデータベース４３の各管理情報を入力可能である。
【００３９】
機器リスト用出力部５６は、機器リストデータベース４３から管理情報を取得して機器リストの帳票を生成し、ディスプレイ２に表示する。機器リスト用出力部５６は、図示しない帳票設定画面を介して帳票に含むデータ項目を設定することが可能である。作成する帳票の形式は、あらかじめ記憶部４に記憶されている。ディスプレイ２に表示した帳票は、プリンタ３で印刷可能である。
【００４０】
概念図出力部５７は、機器リストデータベース４３から管理情報を取得して設備データ概念図（概念図）１１０（図９参照）を出力する。より詳しくは、概念図出力部５７は、機器リストデータベース４３から機器の寿命を含む管理情報を取得して、機器と接続されている機器との接続状態と寿命とを示す設備データ概念図１１０を設備データ概念図画面２３０（図９参照）に表示する。
【００４１】
配置図出力部５８は、機器が設置されている施設の配置図１２０（図１０参照）を出力する。より詳しくは、配置図出力部５８は、図示しない選択画面を介して配置図１２０を出力する場所を建屋と階層とで指定可能である。そして、配置図出力部５８は、マスタリストデータベース４１と環境測定結果データベース４２と機器リストデータベース４３とから場所情報を含む管理情報を取得して配置図１２０（図１０参照）を出力する。
【００４２】
図６を参照して、画面２００について説明する。図６は、マスタリストを一覧表示する画面の一例を示す説明図である。画面２００は、検索条件入力部２０１と系統表示部２０２と系統一覧表示部２０３とを有する。画面２００は、新規登録ボタン２００Ａと対象編集ボタン２００Ｂと対象削除ボタン２００Ｃとリスト出力ボタン２００Ｄと設備配置図ボタン２００Ｅと関連機器リストボタン２００Ｆとを有する。
【００４３】
検索条件入力部２０１は、検索条件を入力可能である。本実施形態では、検索条件として、施設区分と系統と機器種類と機器番号とキーワードとを指定可能である。施設区分は、機器が設置されている施設の区分である。施設区分は、例えば、設計基準事故対処施設または重大事故等対処施設のいずれかを指定可能である。系統は、機器が設置されている系統を指定可能である。機器種類は、機器の種類を指定可能である。機器番号は、機器の番号を指定可能である。
【００４４】
系統表示部２０２は、マスタリストデータベース４１に基づいて、系統の一覧を表示する領域である。
【００４５】
系統一覧表示部２０３は、マスタリストデータベース４１に基づいて、検索条件を満たす系統の管理情報をマスタリストの一覧として表示する領域である。
【００４６】
新規登録ボタン２００Ａは、押下するとマスタリストデータベース４１の管理情報の情報登録画面を表示する。対象編集ボタン２００Ｂは、系統一覧表示部２０３に表示されたいずれかの系統を選択した状態で押下すると当該系統の管理情報を編集する情報登録画面を表示する。対象削除ボタン２００Ｃは、系統一覧表示部２０３に表示されたいずれかの系統を選択した状態で押下すると当該系統の管理情報を削除する削除画面を表示する。リスト出力ボタン２００Ｄは、押下するとマスタリスト用出力部５２を起動して、系統一覧表示部２０３に表示された系統の管理情報をマスタリストの帳票として出力する。設備配置図ボタン２００Ｅは、押下すると配置図出力部５８を起動して、関連する機器の配置を示す配置図１２０を設備配置図表示画面２４０（図１０参照）に表示する。関連機器リストボタン２００Ｆは、系統一覧表示部２０３に表示されたいずれかの系統を選択した状態で押下すると機器リストデータベース４３に基づいて当該系統に関連する機器リストを画面２２０（図８参照）に表示する。
【００４７】
図７を参照して、画面２１０について説明する。図７は、環境測定結果を一覧表示する画面の一例を示す説明図である。画面２１０は、検索条件入力部２１１と測定一覧表示部２１２と結果一覧表示部２１３とを有する。画面２１０は、新規登録ボタン２１０Ａと対象編集ボタン２１０Ｂと対象削除ボタン２１０Ｃとリスト出力ボタン２１０Ｄと設備配置図ボタン２１０Ｅとを有する。
【００４８】
検索条件入力部２１１は、検索条件を入力可能である。本実施形態では、検索条件として、施設区分と設置場所とキーワードとを指定可能である。施設区分は、画面２００の検索条件入力部２０１と同様である。設置場所は、選択画面を介して機器の設置場所を建屋と階層とで指定可能である。
【００４９】
測定一覧表示部２１２は、環境測定結果データベース４２に基づいて、環境測定の一覧を表示する領域である。本実施形態では、環境測定を行った定期検査の一覧を表示する。
【００５０】
結果一覧表示部２１３は、環境測定結果データベース４２に基づいて、検索条件を満たす環境測定結果の一覧を表示する領域である。
【００５１】
新規登録ボタン２１０Ａは、押下すると環境測定結果データベース４２の管理情報の情報登録画面を表示する。対象編集ボタン２１０Ｂは、結果一覧表示部２１３に表示されたいずれかの環境測定結果を選択した状態で押下すると当該環境測定結果の管理情報を編集する情報登録画面を表示する。対象削除ボタン２１０Ｃは、結果一覧表示部２１３に表示されたいずれかの環境測定結果を選択した状態で押下すると当該環境測定結果の管理情報を削除する削除画面を表示する。リスト出力ボタン２１０Ｄは、押下すると環境測定用出力部５４を起動して、結果一覧表示部２１３に表示された環境測定結果の管理情報を帳票として出力する。設備配置図ボタン２１０Ｅは、設備配置図ボタン２００Ｅと同様の機能を有する。
【００５２】
図８を参照して、画面２２０について説明する。図８は、機器リストを一覧表示する画面の一例を示す説明図である。画面２２０は、検索条件入力部２２１と機器種類一覧表示部２２２と機器一覧表示部２２３とを有する。画面２２０は、新規登録ボタン２２０Ａと対象編集ボタン２２０Ｂと対象削除ボタン２２０Ｃとリスト出力ボタン２２０Ｄと設備配置図ボタン２２０Ｅと関連マスタリストボタン２２０Ｇと設備データ概念図ボタン２２０Ｈとを有する。
【００５３】
検索条件入力部２２１は、検索条件を入力可能である。本実施形態では、検索条件として、施設区分と機器種類と機器番号と構成品種類と設置場所とメーカと型式と余寿命とキーワードとを指定可能である。施設区分と機器種類と機器番号とは、画面２００の検索条件入力部２０１と同様である。構成品種類は、構成品の種類を指定可能である。設置場所は、画面２１０の検索条件入力部２１１と同じである。メーカは、機器のメーカを指定可能である。型式は、機器の型式を指定可能である。余寿命は、機器の余寿命を指定可能である。
【００５４】
新規登録ボタン２２０Ａは、押下すると機器リストデータベース４３の管理情報の情報登録画面を表示する。対象編集ボタン２２０Ｂは、機器一覧表示部２２３に表示されたいずれかの機器を選択した状態で押下すると当該機器の管理情報を編集する情報登録画面を表示する。対象削除ボタン２２０Ｃは、機器一覧表示部２２３に表示されたいずれかの機器を選択した状態で押下すると当該機器の管理情報を削除する削除画面を表示する。リスト出力ボタン２２０Ｄは、押下すると機器リスト用出力部５６を起動して、機器一覧表示部２２３に表示された機器の管理情報を機器リストの帳票として出力する。設備配置図ボタン２２０Ｅは、設備配置図ボタン２００Ｅと同様の機能を有する。関連マスタリストボタン２２０Ｇは、機器一覧表示部２２３に表示されたいずれかの機器を選択した状態で押下すると当該機器に関連するマスタリストを画面２００に表示する。設備データ概念図ボタン２２０Ｈは、機器一覧表示部２２３に表示されたいずれかの機器を選択した状態で押下すると、概念図出力部５７を起動して、当該機器の設備データ概念図１１０を設備データ概念図画面２３０に表示する。
【００５５】
図９を参照して、設備データ概念図画面２３０について説明する。図９は、設備データ概念図を表示する画面の一例を示す説明図である。図９は、電動弁１１１の設備データ概念図１１０である。設備データ概念図１１０には、選択された電動弁１１１を構成する機器として電動装置１１２とケーブル接続部／現場箱接続部１１３と現場接続箱１１４とケーブル１１５と電気ペネ端子箱接続部１１６と電気ペネ接続箱１１７と電気ペネ１１８とが図示されている。設備データ概念図１１０には、電動装置１１２とケーブル接続部／現場箱接続部１１３とケーブル１１５と電気ペネ端子箱接続部１１６と電気ペネ１１８のそれぞれの寿命が示されている。各機器の寿命は、例えば、各機器を囲む楕円の色や線種、太さなどを変えて表示する。本実施形態では、各機器の寿命に応じて、各機器を囲む楕円の線種を変えている。
【００５６】
図１０を参照して、設備配置図表示画面２４０について説明する。図１０は、配置図を表示する画面の一例を示す説明図である。配置図１２０には、機器の配置場所と環境測定を行う測定場所とが示されている。配置図１２０において配置場所および測定場所に対して選択操作を実行すると、当該場所に関連する機器を機器一覧表示部２２３に表示した画面２２０を表示する。例えば、設備配置図表示画面２４０に表示された配置図１２０において配置場所を選択操作すると、入力検出部２１が選択操作を検出する。そして、制御部５は、機器リストデータベース４３に基づいて、当該配置場所に配置された機器を機器一覧表示部２２３に表示した画面２２０を表示する。例えば、設備配置図表示画面２４０に表示された配置図１２０において測定場所を選択操作すると、入力検出部２１が選択操作を検出する。そして、制御部５は、機器リストデータベース４３に基づいて、当該測定場所に対応する機器を機器一覧表示部２２３に表示した画面２２０を表示する。
【００５７】
次に、図１１ないし図１４を用いて、管理装置１を用いた管理方法について説明する。図１１は、本実施形態に係る管理装置における管理方法の概略を示すフロー図である。図１２は、本実施形態に係る管理装置における管理方法の概略を示すフロー図である。図１３は、本実施形態に係る管理装置における管理方法の概略を示すフロー図である。図１４は、本実施形態に係る管理装置における管理方法の概略を示すフロー図である。
【００５８】
図１１に示すように、管理装置１は、制御部５で、データベース生成ステップＳ１と出力ステップＳ２とを含む管理方法を実行する。データベース生成ステップＳ１の実行前にマスタリストデータベース４１が生成され、データベース生成ステップＳ１の実行後に環境測定結果データベース４２が生成されるものとする。
【００５９】
図１２を参照してデータベース生成ステップＳ１について説明する。制御部５は、情報登録画面に対して入力された入力情報を取得する（ステップＳ１１）。
【００６０】
制御部５は、機器リスト用登録部５５で、取得した入力情報に基づいて機器リストデータベース４３の管理情報を登録する（ステップＳ１２）。
【００６１】
図１３を参照して出力ステップＳ２について説明する。制御部５は、帳票設定画面に対して入力された入力情報を取得する（ステップＳ２１）。
【００６２】
制御部５は、機器リスト用出力部５６で、機器リストデータベース４３の管理情報から機器リストを取得する（ステップＳ２２）。機器リストは、帳票設定画面において設定されたデータ項目を含む。
【００６３】
制御部５は、機器リスト用出力部５６で、機器リストの帳票を出力する（ステップＳ２３）。より詳しくは、制御部５は、機器リスト用出力部５６で、取得した機器リストから帳票を生成して出力する。
【００６４】
図１４を参照して、配置図出力部５８における処理について説明する。制御部５は、選択画面に対して入力された入力情報を取得する（ステップＳ３１）。
【００６５】
制御部５は、配置図出力部５８で、設備配置情報を取得する（ステップＳ３２）。本実施形態では、選択された建屋と階層に対応する設備配置情報を取得する。配置図１２０には、選択された建屋と階層に対応する施設の模式的な平面図と、機器の配置場所と環境測定を行う測定場所とを示す。
【００６６】
制御部５は、配置図出力部５８で、配置図１２０をディスプレイ２に表示する（ステップＳ３３）。
【００６７】
以上のように、本実施形態は、耐環境性能が要求される機器の環境情報と寿命と交換実績とを含む管理情報を機器リストデータベース４３で管理することができる。本実施形態は、機器の環境情報と寿命と交換実績とを含む管理情報を検索することができる。本実施形態は、機器リストデータベース４３の管理情報を機器リスト用登録部５５で編集することができる。本実施形態は、機器リストを一覧としてディスプレイ２に表示したり、帳票としてプリンタ３で印刷したりすることができる。
【００６８】
本実施形態は、原子力発電所の施設における環境測定結果の管理情報を環境測定結果データベース４２で管理することができる。本実施形態は、機器が設置されている環境の環境測定結果を検索することができる。本実施形態は、環境測定結果データベース４２の管理情報を環境測定用登録部５３で編集することができる。
【００６９】
このようにして、本実施形態は、適切に機器の管理と保全とを行うことができる。本実施形態は、原子力発電所の機器について、耐環境性能に関連する環境情報を含んで管理することができる。
【００７０】
本実施形態によれば、機器リストデータベース４３の管理情報の関連エビデンスの閲覧と登録とを行うことができる。これにより、本実施形態は、機器リストデータベース４３に記憶している管理情報の妥当性を容易かつ正確に説明することができる。
【００７１】
本実施形態によれば、設備データ概念図１１０によって、機器と機器に接続されている他の機器の寿命を含む管理情報を視覚的に出力することができる。本実施形態は、一つの機器の寿命に加えて接続されている他の機器の寿命を色等で識別可能な態様で合わせて表示するので、機器の寿命と交換時期とをより把握しやすい設備データ概念図１１０を出力することができる。
【００７２】
本実施形態は、機器リストデータベース４３には管理情報として最終更新日４３２１と最終更新者４３２２とを含んで記憶する。これにより、本実施形態は、機器リストデータベース４３に記憶している管理情報の妥当性を容易かつ正確に説明することができる。
【００７３】
本実施形態によれば、設備配置図表示画面２４０に表示された配置図１２０に示された設置場所や測定場所を選択操作すると、選択した場所に設置されている機器の管理情報を閲覧することができる。これにより、本実施形態は、機器の検索を容易に行うことができる。
【００７４】
さて、これまで本実施形態に係る管理装置、管理方法及び管理プログラムについて説明したが、上述した実施形態以外にも種々の異なる形態にて実施されてよいものである。
【００７５】
マスタリスト用登録部５１は、マスタリストデータベース４１の登録情報または編集情報をファイルで受け取り、受け取ったファイルに基づいて、マスタリストデータベース４１を編集してもよい。環境測定用登録部５３は、環境測定結果データベース４２の登録情報または編集情報をファイルで受け取り、受け取ったファイルに基づいて、環境測定結果データベース４２を編集してもよい。機器リスト用登録部５５は、機器リストデータベース４３の登録情報または編集情報をファイルで受け取り、受け取ったファイルに基づいて、機器リストデータベース４３を編集してもよい。
【符号の説明】
【００７６】
１      管理装置
２      ディスプレイ（出力部）
２１    入力検出部
３      プリンタ（出力部）
４      記憶部
４１    マスタリストデータベース
４２    環境測定結果データベース
４３    機器リストデータベース
５      制御部
５１    マスタリスト用登録部
５２    マスタリスト用出力部
５３    環境測定用登録部
５４    環境測定用出力部
５５    機器リスト用登録部
５６    機器リスト用出力部
５７    概念図出力部
５８    配置図出力部
１１０  設備データ概念図（概念図）
１２０  配置図
【図１】
2019007852.tif 000003
【図２】
2019007852.tif 000004
【図３】
2019007852.tif 000005
【図４】
2019007852.tif 000006
【図５】
2019007852.tif 000007
【図６】
2019007852.tif 000008
【図７】
2019007852.tif 000009
【図８】
2019007852.tif 000010
【図９】
2019007852.tif 000011
【図１０】
2019007852.tif 000012
【図１１】
2019007852.tif 000013
【図１２】
2019007852.tif 000014
【図１３】
2019007852.tif 000015
【図１４】
2019007852.tif 000016